(57)【要約】【課題】簡単にしかも強く立設することのできる避難装置を提供すること。【解決手段】コンクリート基礎と同基礎上に複数本配備された支柱とこれらの支柱間を連結する梁とにより１階部分と２階部分および屋上部分とを有する鉄骨構造体が構築され、同構造体の内部には、その１階部分に駐車場が、また２階部分に平常時に室内を利用可能な利用庫が設置されるとともに、屋上部分には避難ステージが構成され、コンクリート基礎上と同避難ステージ間が登降手段でつながれている。【選択図】図９
2007239451.tif 000002
【特許請求の範囲】
【請求項１】
コンクリート基礎と同基礎上に複数本配備された支柱とこれらの支柱間を連結する梁とにより１階部分と２階部分および屋上部分とを有する鉄骨構造体が構築され、同構造体の内部には、その１階部分に駐車場が、また２階部分に平常時に室内を利用可能な利用庫が設置されるとともに、屋上部分には避難ステージが構成され、コンクリート基礎上と同避難ステージ間が登降手段でつながれている避難装置。
【請求項２】
請求項１に記載の避難装置において、鉄骨構造体の津波襲来が想定される側には、防護手段が設けられている避難装置。
【発明の詳細な説明】
【技術分野】
【０００１】  本発明は、避難装置に関する。
【背景技術】
【０００２】  旧来から地震に伴い津波により多大な災害が発生している。
【発明の開示】
【発明が解決しようとする課題】
【０００３】  ところで、こうした津波発生時には、高所に登るように教えられているもののその高所のないところが多く、また、近場で登れる施設も少ないのが現状で、それが災害を繰り返す原因になっている。
上記に鑑み、本発明は、簡単にしかも強く立設することのできる避難装置を提供することを目的とする。
【課題を解決するための手段】
【０００４】  上記課題を解決するため、請求項１記載の発明は、コンクリート基礎と同基礎上に複数本配備された支柱とこれらの支柱間を連結する梁とにより１階部分と２階部分および屋上部分とを有する鉄骨構造体が構築され、同構造体の内部には、その１階部分に駐車場が、また２階部分に平常時に室内を利用可能な利用庫が設置されるとともに、屋上部分には避難ステージが構成され、コンクリート基礎上と同避難ステージ間が登降手段でつながれている避難装置。
請求項２記載の発明は、請求項１に記載の避難装置において、鉄骨構造体の津波襲来が想定される側には、防護手段が設けられている避難装置。
【発明の効果】
【０００５】  本発明によれば、簡単にしかも強く立設することができ災害を大幅に減らすことのできる避難装置を提供することができる。
【発明を実施するための最良の形態・実施例】
【０００６】  以下の各実施形態で説明する諸内容は、他の実施形態にも適用がある。
図１ないし図８は、平常時に宿泊施設（防災教育用としてなど）や研修室・食堂として利用できる建造物Ａを含み津波や洪水発生などの非常時には建造物Ａ内からの避難のみでなく建造物Ａ外の一般の人も即刻かつ確実に避難することができるように構成された避難用施設物で、１階部分１Ｆ・２階部分２Ｆ・３階部分３Ｆ・屋上部分ＲＦからなり、１階部分１Ｆは、図６にも示すように、３階部分３Ｆまで延びる鉄骨パイプ製の外周支柱３００…と中支柱３０１…からなり、これらの支柱３００，３０１…で囲まれた広いスペースが駐車場３０２…になっている。各支柱３００，３０１の下端には、コンクリート地盤側にアンカー固定される取付座板３００ａ、３０１ａが設けられている。
【０００７】  ２階部分２Ｆと３階部分３Ｆとは実質的な建造物の部分で六面体の外壁を有し、２階部分２Ｆの内部は、図７に横断面を示すように、研修室（集会場）３０３や食堂３０４が主として構成されるとともに、これら両室３０３，３０４間には、一方が階上正面玄関口ａを通じ他方が非常口ｂになっている２階通り抜け通路３０５が形成されている。
【０００８】  ３階部分３Ｆの内部は、図８にその横断面を示すように、各寝室に分かれた宿泊施設３０６…と必要設備が３階中通路３０７およびそれに直交する３階通り抜け通路３１０とともに構成されている。同通路３１０の一方は３階玄関口ｃとされ他方は非常口ｄになっている。
【０００９】  屋上部分ＲＦは、図３に示すように、矩形平面形状とされた避難ステージ３０８とされ、同図における左右幅は３０ｍ前後、奥行は１５ｍ前後とされて建造物に宿泊等滞在する者の他、それ以外の外部からの一般避難者を含めて５００人前後を避難収容可能なものとされている。
【００１０】  該避難ステージ３０８の外周囲全体には安全のための手摺３０９が設けられている。尚、この避難ステージ３０８上の広いスペースを利用して非常・平常用の格納庫を設置しておいたりソーラー設備や風力発電設備などを装備しておいてもよい。施設物の正面側（図１の手前側）には、避難ステージ３０８に登降可能な正面階段３１１が設けられている。
【００１１】  この正面階段３１１は、１階から２階部分に建造物正面側に添って避難者が登降可能な山形をした手摺付き第１階段３１２と、同階段３１２よりも手前側に設けられて２階から３階部分に避難者が登降可能なＶの字状の手摺付き第２階段３１３と、３階から屋上の避難ステージ３０８に建造物の正面側に添って避難者が登降可能な山形の手摺付き第３階段３１４の組み合わせでなり、同正面階段３１１の１階から２階部分へ登降したところに第１踊り場３１６があって、地上からの避難者以外に建造物の２階部分の２階出入り口３１７からの避難者も避難のために利用することができ、２階から３階部分へも第２踊り場３１８が設けられて、地上や２階部分からの避難者以外に建造物の３階の３階出入り口３１９からの避難者も避難のために利用することができるようになっている。
尚、この正面階段３１１は、非常時以外に平常時の登降手段として利用される。
また、この正面階段３１１の他に、エレベータやエスカレータを設備することができる。
【００１２】  ３階から屋上への階段の上の部分も第３踊り場３２０になっており、この第３踊り場３２０が前記避難ステージ３０８に通じている。図３、図７、図８に示すように、建造物の２階および３階部分に相当する背面にも避難者が避難ステージ３０８まで登降することのできる背面階段３２１が設けられて、２階通り抜け通路３０５や３階通り抜け通路３１０を通じて正面側の階段以外からも適宜に避難できるようになっている。
【００１３】  こうした避難用施設物は、１階部分の多数の支柱３００，３０１…をコンクリート基盤上に取付板３００ａ、３００ｂを介して固定することで設置される。また、同避難用施設物は、図３に示すように、例えば、矢印Ｘを津波が襲来してくる側とした場合に正面側の階段３１１がその背面にきて避難に安全なように建物全体を方向付けて設置するのが好ましい。しかし、同避難用施設物の津波が襲来してくる方向Ｘに対する向きは実施形態以外に設定できる。この場合、施設物の矢印Ｘ側に先行して防護手段（例えば、鉄パイプや樹木など）３２３…を支柱３００…前方にあるように離間配置しておけば漂流物が直接支柱３００…に衝当することなく施設物や駐車した車などが安全である。
【００１４】  平常時には、１階部分１Ｆの駐車場３０２に車を止めて、正面階段３１１を利用して登降することができる。すなわち、第１階段３１２を介して第１踊り場３１６に登り、２階出入り口３１７を開けて階上正面玄関ａを通じて２階部分２Ｆに入ることができる。さらに、３階部分３Ｆには、第２階段３１３を通じて第２踊り場３１８から３階出入り口３１９を開けてから３階玄関口ｃに入り、３階通り抜け通路３１０から各宿泊施設３０６…を利用することができる。
【００１５】  津波や洪水などが発生した非常時には、宿泊している人や同施設の運営に関与している人などは、２階部分２Ｆの階上玄関口ａから２階出入り口３１７を通じて第１踊り場３１６を出てのち、第２、第３階段３１３，３１４を通じて屋上の避難ステージ３０８に避難するようにする。３階部分３Ｆに宿泊している人は、３階玄関口ｃから第３階段３１４を通じて避難ステージ３０８に避難する。一方、２階部分２Ｆ、３階部分３Ｆのそれぞれ平面側からも背面階段３２１を通じて避難ステージ３０８に避難することができる。
【００１６】  尚、支柱３００の回りに防護手段、例えば、弾性部材を巻き付けておいてもよい。同防護手段は、前記前方の防護手段とともに設けてもよい。
【００１７】  また、前記駐車場３０２は、１階部分１Ｆに設けられていたが、２階部分２Ｆを駐車場とすることもできる。
【００１８】  さらに、前記正面階段３１１および背面階段３２１は、各階段支柱（柱間を連結する梁材ならびにこれらと建造物間の連結材を含む）３３０…を介して耐震支持されており、これら支柱３３０…や階段３１１，３２１は、同時に施設物を前後から耐震補強するものになっている。特に、正面階段３１１および支柱３３０の構造物は、図１、図５に示すように、建造物Ａから張り出して設けられていることから、地震発生時の抵抗構造体となるだけでなく津波襲来時の補強構造体にもなる。
【００１９】  図９ないし図１３は他の実施形態を示す。同実施形態は、津波などに対する避難用施設物に関するもので、同施設は、鉄骨構造体とその中に組み込まれた剛強コンテナ類からなる。
【００２０】  ５００は鉄筋モルタル製の基礎で、同基礎５００は平面矩形で津波に対することから深さも２．５〜３ｍ前後の充分深いものとされて地盤面５０１に上面が一致して没した形で造成されている。５０２は支柱で、同支柱５０２は丸鋼管製で、前面に左右等間隔の３本、背面に同じく左右等間隔の３本の、合計６本の全ての座板５０３が基礎５００上にあるようにしてそれぞれがアンカー固定されている。この支柱５０２は、津波襲来想定高さを４ｍとしその高さに約２ｍの余裕をもたせて６ｍをやや越える高さとされている。
【００２１】  これら各支柱５０２の隣合う間には、２階床部分５０４と３階屋上の避難ステージ５０５を造るための梁５０６…がそれぞれ連結一体化されて鉄骨構造物が構成されており、同構造物の図９の手前側が津波Ｘが襲来してくる側と想定している。この設置向きは変更されることがある。尚、２階床部分５０４の底面には、床板とは別に図９に一部破断図で示すような折版鋼板５０８を全面に取り付けておくと、津波からの押し上げ力に抵抗し床抜けを防止することができる。この場合、同折版鋼板５０８は溝向きを平行にして複数枚を重合してもよく、溝向きを直交させて重合してもよい。これら重合間に介装材を入れておいてもよい。同折版鋼板５０８は、避難ステージ５０５の底面にも装備しておいてもよい。
【００２２】  ５１０は第１階段、５１１は折り返し階段、５１２は第２階段であり、建造物の正面からみて左（あるいは右側面や背面）を介して津波に対し強度のあるものとして建造物に添接して設けられている。尚、第１階段の下端は、支柱５０２の下端の座板を兼ねる共用座板５０３′を介して基礎５００へアンカー固定されている。尚、これら階段５１０，５１１，５１２や避難ステージ５０５回りには手摺り５１３…が張り巡らされている。
【００２３】  前記構築物の内部には、その１階部分に備蓄倉庫（小型コンテナ）５１５が、また２階部分にトイレや洗面所完備の集会場用利用庫（中型コンテナ）５１６がそれぞれ設置され、共に床上に適宜固定されている。これらのコンテナ５１５，５１６は、少なくとも津波の襲来してくる面に緩衝部材を張り付けて防護することがある。前記コンテナ５１５，５１６に代えて支柱５０２や梁５０６などを利用して壁板を構築して前記のように利用可能な部屋を造る場合もある。
【００２４】  こうしたコンテナ５１５，５１６を配備した構築物は、それ自体は避難ステージ５０５より２ｍ前後低く襲来すると想定される津波に対し鉄骨構造によって充分に抵抗し得るものであるが、設置されたコンテナ５１５，５１６は津波の襲来で破損を受けるおそれがある。
【００２５】  そうしたことから、この実施形態では、構築物における津波が襲来してくる側に、前防護材５１８…と後防護材５１９…の各複数本からなる防護手段を縦向きにして配備して対応したものである。これらの防護材５１８，５１９は、ここでは一側面に２条の溝を有し他側面に１条の溝を有する。一般の道路脇用の大型仕様のガードレールを利用してある。後防護材５１９…は、左右に一定の間隔を置いて構築物の前面に添って図示しない取付手段（弾性支持することもある）により固定配備されてその下端は地盤面５０１上にある一方上端は避難ステージ５０５の手摺り５１３上にわたるように配備されてしいる。
【００２６】  前防護材５１８…は、同じくガードレールを利用したもので、後防護材５１９…の離間した間に対応するように配置されており、この実施形態では、図１０に示すように、地盤５０１内に埋め込まれて後防護材５１９と平行となるように直立状態とされるとともに構築物との間に受け材（弾性材でもよい）５２０…を介して支持されている。前防護材５１８の基部は、基礎５００に固定してもよい。この場合、基礎５００に予め同時埋め込み固定され張り出し状とされたブラケットを介して固定してもよい。また、図１０に仮想線で示すように完成した基礎５００の前面に添って同前防護材５１８（後防護材５１９でもよい）を添接して（留め着け）てもよい。
【００２７】  尚、前記防護材５１８，５１９は、図１１ないし図１３に示すように、ガードレールの裏面に相当する面を津波が襲来してくる側Ｘに対応するように向けて２条の溝に添って津波流が登るようにしてあるが、図１１の右欄に示すように表面をＸ方向に向けて中央溝に添って同津波流が登るようにしてもよい。
また、図１１のさらに右欄に示すように２枚のガードレール５２２，５２２をＶ字形になるように台体させたものを立設して矢印のように津波流が分かれるようにしてもよい。さらに、防護材５１８，５１９の前面には、津波流を緩衝する弾性材などの緩衝材を張り付けてもよい。
また、前記防護材５１８，５１９は、ガードレールの他に、丸パイプ（鋼管矢板も含む）や角パイプなどの杭のようなものや鋼矢板などを利用できる。
【００２８】  さらに、図１２の左側部に仮想線で示すように、構築物の左方向から津波流が押し寄せるように向きが設定される場合にも前後の防護材５１８，５１９を配すが、この場合、階段５１０，５１２がその取付・受担役としてそれらの階段５１０，５１２に衝撃吸収機能を発揮させるようにすることができる。５２３は丸パイプでなる予備防護材である。
【００２９】  また、図９および図１１の各左側部に仮想線で示すように、津波流が襲来してくる側に盛り土（モルタル吹付けやコンクリートでもよい）５２５を対抗可能に造成して津波流が左右に分かれるようにしたり、この盛り土５２５にパイプや杭、あるいは樹木などの防護材５２６…を追加施工しておくことでコンテナ５１５，５１６への直接的な損害を軽減するようにしてもよい。こうした盛り土は津波の襲来する前方に複数配備してもよい。盛り土相互間には、ワイヤーロープあるいはワイヤーメッシュ、樹木などの障害物を配しておけばより有効である。
【００３０】  前記コンテナ５１５，５１６は、それぞれ吊持してその床下を津波流が通過可能にしたり、津波流が通過可能なように底スペーサ上に設置することも有効である。
また、同コンテナ５１５，５１６を床などに敷設のガイドレールで緩衝作用をもって一定範囲のみバック移動可能にして大きな損害を防止するようにしてもよい。
同コンテナ５１５，５１６の津波が襲来してくる側の前面に緩衝材を張っておしいてもよい。
【００３１】  図１４および図１５は他の実施形態を示す。同実施形態は、前記のような避難用施設物を対象とし、その津波が襲来してくる側に前後の防護材５２９…、５３０…を横桟式で側面千鳥配置に離間して設けたものである。前後の防護材５２９，５３０は共にガードレールであってもよいし、図示のように前防護材５３０のみを他の部材としてもよい。
尚、これらの防護材５２９，５３０は、支柱５０２側に固定（緩衝材を介装してもよい）するようにする。前防護材５２９は、前記実施形態のように受け部材を介して支柱５０２側に固定するが、後防護材５３０側に取り付けるようにしてもよい。この場合、前後の防護材５２９，５３０間には緩衝材を介装することがある。
尚、図１４の右欄に平面図を示すように、避難用施設物の前面に防護材５３０…を前方山凸形に配置してもよい。この場合、この防護材５３０のさらに前面に防護材５２９を組み合わせてもよい。
また、前記実施形態でも同様にいえるが、防護材は透明あるいは半透明質のポリカーボネートなどの樹脂を使用して採光を可能にすることができる。
【００３２】  図１６は他の実施形態を示す。同実施形態は、縦桟式で左右に複数本のガードレールなどの前後防護材５３３，５３４を配したものであって、特に、その角度を後倒れ式にして津波流が這い上がるようにしたものである。その角度は図示よりもさらに小さく地盤面に対し６０°や４５°にすることができる。この場合、後防護材５３４が地盤と２階部分間を、前防護材５３３が地盤と避難ステージ５０５間をそれぞれ結ぶ線上にくるように配置してもよい。同防護材は、ワイヤーメッシュであってもよい。前後のいずれかのガードレールなどの防護材のみとしそれにワイヤーメッシュを張ってもよい。
尚、仮想線で示すように、防護材を階段５３５としたもので、同階段５３５は、右欄のように、津波流を左右に分けるようにすれば２階部分に津波流が到達するのを抑制することができる。
【００３３】  図１７は他の実施形態を示す。同実施形態は、避難用施設物の前面にブレース５３８…を張って前方からの津波流や漂流物から護るようにしたもので、この場合、同図示のようにワイヤーメッシュ５３９を併設するとより防護効果が高くなる。このメッシュ５３９は前後に複数枚重合させてもよい。
尚、図３では、施設物の矢印Ｘ側に先行して防護手段（例えば、鉄パイプや樹木など）３２３…を支柱３００…前方にあるように離間配置しておけば漂流物が直接支柱３００…に衝当することなく施設物や駐車した車などが安全であるとしたが、この場合も、図９から図１７までの実施形態を適用することができる。
【００３４】  図１８は、同じく津波避難用施設物で、平時は勿論津波（洪水）などの非常時に避難施設として主に車両７６８…と搭乗者、近場の人々を複数階に亘って避難させ、特にその避難が早急に能率的に行えるようにしたものである。そして、仮想線のように平時には防災研修施設あるいは宿泊施設などとして有効に利用され得る付設家屋７６９をも設置可能なものである。
【００３５】  ７７０は地盤、７７１はその上に造成したコンクリートなどの盛り基礎であり、同基礎７７１により縦横複数本の支柱７７２…が立設されている。これら支柱７７２…により平面矩形をした高２階床７７３・３階床７７４・屋上階７７５が鋼鉄製あるいはコンクリート製として構築されている。
【００３６】  基礎７７１は、津波の防波堤としても役目をし、その離れた２個所には、避難してきた車両７６８が２方向から乗り入れることのできるスロープ状の登降口７７７が形成されている。登降口７７７から高２階床７７３→３階床７７４→屋上床７７５へと平面Ｌ字形に曲がる主スロープ７７８の一対が添設されている。登降口７７７からの車両７６８は、矢印Ｕ（ＵＰの略）の経路で主スロープ７７８の左手路線へと登ることができ、そのあと、高２階床７７３→３階床７７４→屋上床７７５へと次々に登ることができる。そして、矢印Ｄ（ＤＯＷＮの略）のように逆に屋上床７７５から地上へと戻ることもできるし、それ以外に各階７７４，７７３へも移動して避難場所を変えることもできるようになっている。
【００３７】  尚、前記家屋７６９は、コンテナでもよいが、その設置場所は、例えば、高２階床７７３と３階床７７４間であったり、３階床７７４と屋上床７７５間であったりする。高２階床７７３は、津波の想定される高さを超える高さであることは当然である。
主スロープ７７８はそれ自体も避難部分となる。
【００３８】  図２０および図２１はその変形例を示す。７８１は盛り基礎、７８２は支柱、７８３は高２階床、７８４は３階床、７８５は屋上床であって、盛り基礎７８１には、４箇所に登降口７８６が形成されていて、これらから高２階床７８３への避難は、ラセンスロープ７８７と防護周壁７８８を備えた４箇所の登降手段を通じてなされるようになっている。すなわち、前記実施形態よりも多くの避難経路をもつことでより早急に効率的な避難活動ができるものである。
【００３９】  尚、ラセンスロープ７８７も往復路線型とすればよいが、単路線の場合には、登り降りの車両がぶつからないように信号７８９で制御するようにする。７９０は主スロープで、高２階床７８３→３階床７８４、３階床７８４→屋上床７８５へと車両を導くためのものである。この実施形態は、地上から高い高２階床７８３へとにかく多くの車両などを避難させ、一先ず安全圏内に避難したあとは高２階床７８３からそれ以上の階へ安心して安全確実に避難し得るようにと考えたものである。図２０および図２１の仮想線は、矩形をした施設物の各辺に添って高２階床７８３までそれぞれに車両を誘導することができるようにした各スロープ７９１であり、この場合も多くの車両を一先ず高２階床７８３まで避難させ得ることができる。
尚、主スロープ７９０の有る無しに拘らず、周壁７８８付きラセンスロープ７８７は、屋上床７８５迄高く伸びるものにしてもよい。同スロープ７８７は各階に通じるものとする。
【００４０】  図２２および図２３の実施形態は、盛り基礎７９２上に支柱７９３…を介して構築した高２階床７９４・３階床７９５・屋上床７９６を備え主スロープ７９７を添設してなる施設物であって、高２階床７９４へ早急にかつ多量に車両などを避難させ得るように、基礎７９２を施設物の一側方へ長く延ばすとともに、この基礎７９２から高２階床７９４へとやや緩く傾斜する幅広型の第１スロープ７９８を鋼鉄あるいはコンクリート製として形成したものである。この第１スロープ７９８により、多量の車両を同時に避難させ得る。
尚、同実施形態では、施設物の長手方向に基礎を延ばして第１スロープ７９８を構成してあるが、長手方向に直交する側に延ばすようにしてもよいし、双方に延ばすようにしてもよい。
【図面の簡単な説明】
【００４１】
【図１】  本発明の実施形態を示す避難用施設物の正面図。
【図２】  図１の背面図。
【図３】  図１の平面図。
【図４】  図３の底面図。
【図５】  図１の右側面図。
【図６】  図１の１Ｆ部分の横断平面図。
【図７】  図１の２Ｆ部分の横断平面図。
【図８】  図１の３Ｆ部分の横断平面図。
【図９】  他の実施形態を示す正面図。
【図１０】  図９のＬ矢視図。
【図１１】  図９のＩ−Ｉ線断面図。
【図１２】  図９のＩＩ−ＩＩ線断面図。
【図１３】  図９のＩＩＩ−ＩＩＩ線断面図。
【図１４】  他の実施形態を示す正面図。
【図１５】  図１４の左側面図。
【図１６】  他の実施形態を示す左側面図。
【図１７】  他の実施形態を示す正面図。
【図１８】  他の実施形態を示す図１９の平面図。
【図１９】  図１８の正面図。
【図２０】  他の実施形態を示す図２１の平面図。
【図２１】  図２０の正面図。
【図２２】  他の実施形態を示す図２３の平面図。
【図２３】  図２２の正面図。
【符号の説明】
【００４２】  ３００，３０１、５０２…支柱  ５０６…梁  ３０２…駐車場  ３０８，５０５…避難ステージ  ３２３，５１８，５１９，５２６，５１８，５１９，５２３，５２９，５３０…防護手段。
【図１】
2007239451.tif 000003
【図２】
2007239451.tif 000004
【図３】
2007239451.tif 000005
【図４】
2007239451.tif 000006
【図５】
2007239451.tif 000007
【図６】
2007239451.tif 000008
【図７】
2007239451.tif 000009
【図８】
2007239451.tif 000010
【図９】
2007239451.tif 000011
【図１０】
2007239451.tif 000012
【図１１】
2007239451.tif 000013
【図１２】
2007239451.tif 000014
【図１３】
2007239451.tif 000015
【図１４】
2007239451.tif 000016
【図１５】
2007239451.tif 000017
【図１６】
2007239451.tif 000018
【図１７】
2007239451.tif 000019
【図１８】
2007239451.tif 000020
【図１９】
2007239451.tif 000021
【図２０】
2007239451.tif 000022
【図２１】
2007239451.tif 000023
【図２２】
2007239451.tif 000024
【図２３】
2007239451.tif 000025